(57)【特許請求の範囲】
【請求項１】
外容器体(2)の口頭部外面へ、ノズル付き等の流出部材(11)の装着筒(12)を螺合させた、デラミボトル(1)において、
上記外容器体の口頸部(4)を、胴部上端から肩部(5)を介して起立させると共に、口頸部(4)の上部を雄ねじ筒として、該雄ねじ筒下方の口頸部部分に、上下両面を当接するスリット(6)を横設し、
上記装着筒(12)を口頸部へ螺合させて下限まで締付したとき、装着筒(12)下端面が肩部(5)上面へ圧接すると共に、装着筒(12)内面の雌ねじが雄ねじ筒を引上げすることで、上記スリットが口頸部(4)の弾性に抗して開口して、該開口(７)内を通って外気が外容器体と内袋(3)との間へ流入可能とし、
上記スリット(6)を、雄ねじ筒下方の口頸部部分の上下に小間隙を隔てて単数ないし複数のスリットを横設させ、上下各スリットの各両端部が上方からみて上下に重なる状態に穿設したことを特徴とする、デラミボトル。
【発明の詳細な説明】
【技術分野】
【０００１】
本発明は流出部材付きデラミボトルに関する。
【背景技術】
【０００２】
容器体内液体が減少して置換用空気が容器体内へ流入すると、容器体内液体に悪影響を及ぼすため、このような外気流入を防止するため、外容器体内へ内袋を装着させ、液体を注出すると、外容器体に設けた外気流入孔から外容器と内袋との間に外気が入って、外容器体胴部は弾性復元するが、内袋は収納液体流出のまま体積を縮小して内袋内液体には外気が触れないよう設けたデラミボトルが知られている（特許資料１）。
【特許文献１】公表特許雄公報第２０００−５１３６８３号
【発明の開示】
【発明が解決しようとする課題】
【０００３】
上記デラミボトルは、外容器体に穿設した外気吸入孔部分において、内袋内液体成分がその外気吸入孔内方の内袋部分を透過して外気吸入孔から散失することがあった。該欠点は、デラミボトルにレフィールキャップを嵌合させたままで保存し、液体使用時にノズル付きキャップ等に交換する場合に、レフィールキャップ嵌合のまま保存する期間が長くなるため特に問題となるものであった。
【０００４】
本発明は、上記レフィールキャップで使用時には外気吸入孔が閉塞されており、ノズル付きキャップ、櫛付きキャップ等に交換したときその外気吸入孔が開口するよう設けて、上記レフィールキャプ使用時における、外気吸入孔内方の内袋部分からの液体成分散失を防止できるよう設けたものである。
【課題を解決するための手段】
【０００５】
第１の手段として、外容器体2の口頭部外面へ、ノズル付き等の流出部材11の装着筒12を螺合させた、デラミボトル1において、
上記外容器体の口頸部4を、胴部上端から肩部5を介して起立させると共に、口頸部4の上部を雄ねじ筒として、該雄ねじ筒下方の口頸部部分に、上下両面を当接するスリット6を横設し、
上記装着筒12を口頸部へ螺合させて下限まで締付したとき、装着筒12下端面が肩部5上面へ圧接すると共に、装着筒12内面の雌ねじが雄ねじ筒を引上げすることで、上記スリットが口頸部4の弾性に抗して開口して、該開口７内を通って外気が外容器体と内袋3との間へ流入可能とし、
上記スリット6を、雄ねじ筒下方の口頸部部分の上下に小間隙を隔てて単数ないし複数のスリットを横設させ、上下各スリットの各両端部が上方からみて上下に重なる状態に穿設した。
【発明の効果】
【０００７】
請求項１記載のようにすることで、流出部材の装着筒12を外容器体口頸部４の外面へ螺合させ、下限まで締付けたときにだけ、スリット６が開口７してその開口内を通って外気が外容器体と内袋３との間へ流入することとなり、よって上記流出部材の装着筒12を口頸部外面へ螺合させて強く締付けしていない状態にあっては内袋内液体の成分がスリットから散出することを防止できる。
【０００８】
また請求項１のようにすることで、流出部材の装着筒を外容器体口頸部外面へ螺合させたときのスリット６の開口を大きく、しかもその開口を容易とすることが出来る。
【発明を実施するための最良の形態】
【０００９】
以下図面について説明すると、１はデラミボトルで、該デラミボトルは公知のように外容器体２と該外容器体内へ収納された内袋３とからなり、内袋の口部上端は外容器体口頸部４の上端上面へ気密に接合させてある。外容器体は胴部上端から肩部５を介して口頸部を起立しており、該口頸部の上部は雄ねじ筒としており、該雄ねじ筒下方の口頸部部分には図３が示すように、任意に定めた前後両部に一対の第１、第２スリット６a を、かつこれ等両スリットやや下方の左右両部に一対の第３、第４スリット６b を、それぞれ穿設し、かつ上方からみて第１、第２スリットの各左右両部と第３、第４スリットの各前後両部とは上下に重なる位置へ設けている。
【００１０】
それ等スリット６は、スリット切離面の上下両面をほぼ気密に接しており、図４のように開口７させない限りそのスリットを通って外気が外容器体内へ流入しないよう設けている。
【００１１】
上記スリットは、図５、図６が示すように横長の楕円形状としてもよく、上方側スリット線部分６c は口頸部内面に達しない、浅いスリット線とし、かつ下方側スリット線部分は口頸部内面に達する深いスリット線として後述のようにスリット開口時には、図７のように下方側スリット線が開口し、上方側スリット線はＶ字形状に開き変形するが、口頸部内面側は開かないよう設けている。
【００１２】
液体収納状態において、当初は図２が示すように頂壁外周から周壁を垂下させるだけのキャップを、レフィールキャップ８として嵌合させてデラミボトルを保管する。
【００１３】
デラミボトル内液体を使用するとき、上記レフィールキャップ８を外し、図１が示すようなノズル等を有するキャップ状の流出部材11に交換する。該流出部材の装着筒12を外容器体口頸部４外面へ螺合させる。
【００１４】
該図示の流出部材11は、装着筒12上端から内向きフランジ13を介して上部小径のノズル14を起立し、又該ノズルの中間部内面からは延長筒15を垂下させている。装着筒12の上部内面は小内径として該小内径部分へ、弁孔16を中心部に有する底板17外周から内筒18を起立し、該内筒の中間部外面から外向きフランジ19を突出させ、該外向きフランジ外周から嵌合筒20を起立させて弁座形成部材21を嵌合させ、又該部材内へ弁部材22を嵌合させ、該弁部材周壁下端から上記弁孔上面を開閉自在に閉塞する第１弁板23を突出させている。又弁部材周壁内へは上記延長筒15を嵌合させ、かつその周壁上端からフランジ状の第２弁板24を外方突出させて上記内向きフランジの内周部下面へ当接させて外気吸入弁25を形成し、かつノズル14の下端周壁部分に外気導入孔26を穿設させると共に上記嵌合筒下端に設けた透孔27を通って外容器体口頸部外面と装着筒12内面との間へ外気が入るよう設けている。
【００１５】
図１は、外容器体口頸部に対してノズル付き流出部材の装着筒12を螺合させ、該装着筒を下限まで螺合し、締付けた状態を示すもので、該状態では装着筒12下端面は外容器体の肩部５上面へ圧接し、又口頸部上部の雄ねじ筒は、装着筒12内面の雌ねじとの螺合締付けにより口頸部の弾性に抗して上方へ引上げられ、よって既述スリット６は図示のように開口７する。尚31はノズル上端へ嵌合させた口キャップである。
【００１６】
図１状態から口キャップ31を外し、デラミボトルを傾け、外容器体の胴部を弾性に抗して圧搾すれば弁孔16を通ってノズル14からデラミボトル内液体が注出され、注出終了と同時に第１弁板23が閉じ、するとデラミボトルの外容器体内は負圧化するため、外気導入孔26、外気吸入弁25、口頸部４と装着筒12との間、又開口状態にあるスリット６を通って外気が流入して外容器体内の負圧状態を解消し、又内袋は液体減少部分だけ収縮する。
【００１７】
尚図示例では流出部材11をノズル付きとしたが、該流出部材をどのような部材とするかは自由に選択してよく、要するにその部材の装着筒を外容器体口頸部へ強く締付けたとき、スリットが開くよう設ければよい。
【図面の簡単な説明】
【００１８】
【図１】要部を断面で示す、本発明の流出部材付きデラミボトルの断面図である。
【図２】デラミボトルの口頸部にレフィール用キャップを嵌合させた状態で示す要部の断面図である。
【図３】デラミボトル要部の側面図である。
【図４】図３の状態からスリットを開口させて示す側面図である。
【図５】第２実施例で示す、楕円形状スリット付きデラミボトル要部の側面図である。
【図６】図５の要部拡大断面図である。
【図７】図６の状態から楕円形状スリットが開口した状態を示す断面図である。
【符号の説明】
【００１９】
１  デラミボトル        ２  外容器体
３  内袋                ４  口頸部
５  肩部                ６  スリット
７  開口                ８  レフィールキャップ
11  流出部材            12  装着筒
【図１】
0004803590.tif 000002
【図２】
0004803590.tif 000003
【図３】
0004803590.tif 000004
【図４】
0004803590.tif 000005
【図５】
0004803590.tif 000006
【図６】
0004803590.tif 000007
【図７】
0004803590.tif 000008